(57)【特許請求の範囲】
【請求項１】
原稿を読み取る静止原稿読取面および移動原稿読取部と、静止原稿読取面の原稿を押さえる開閉自在な原稿押さえカバーと、原稿押さえカバーに隣接し、原稿を一枚ずつ移動原稿読取部に連続給紙する連続原稿給紙部とを備えた画像読取装置であって、連続原稿給紙部に原稿を供給する原稿ホッパを、ヒンジ機構を介して回動自在に原稿押さえカバーに設け、
前記ヒンジ機構は、原稿ホッパまたは原稿カバーのいずれか一方に一体成形された突起部と、原稿ホッパまたは原稿カバーの他方に設けられた孔とからなり、
前記突起部の先端を押圧する弾性部材を上記他方に設けたことを特徴とする画像読取装置。
【請求項２】
前記突起部の先端に面取り部を設けたことを特徴とする請求項１記載の画像読取装置。
【発明の詳細な説明】
【０００１】
【発明の属する技術分野】
本発明は、原稿の読取機能を備えた画像読取装置であって、例えばコピー機、或いはコピーとファクシミリの両方の機能を備えた画像処理装置等における光学的画像読取装置等に適用されるものに関する。
【０００２】
【従来の技術】
上記のようなコピー機、或いはコピーとファクシミリの両方の機能を備えた画像処理装置等には、光学的画像読取装置が備えられている。従来、画像読取装置には原稿読取部が設けられ、原稿読取部上面部に本等の静止した原稿を読み取る静止原稿読取部と、１枚づつ原稿を給紙して読み取る連続原稿給紙部とが設けられている。一般に、静止原稿読取部には、静止原稿読取面上に上方より押さえる原稿押さえカバーが開閉自在に設けられている。移動原稿読取部には、原稿を供給するたの原稿ホッパと読み取られた原稿を収容する排出トレイが必要になる。画像処理装置では装置全体のコンパクト化を図るため、原稿押さえカバーに原稿押さえカバーと排出トレイを設けたものがある。これらの装置では、原稿押さえカバーの上面には、連続原稿給紙部で読み取られた原稿が排出され、収容される排出原稿トレイが形成されている。そして、その排出原稿トレイの上方には、連続原稿給紙部に供給される堆積状の原稿が載せられる原稿ホッパが、連続原稿給紙部から遠ざかるにつれて上方へいくような傾斜状に、原稿押さえカバーと一体化して取り付けられていた。上記構成により、原稿ホッパに載せられた堆積状の原稿は、一枚ずつ連続原稿給紙部原稿に連続的に供給されて読み取られ、排出原稿トレイに排出され、収容されていた。
【０００３】
【発明が解決しようとする課題】
しかしながら、上述したような従来の画像読取装置では、原稿ホッパが原稿押さえカバーに一体化して取り付けられていたため、連続原稿給紙部から排出原稿トレイに排出され、収容された原稿を取り出す際、原稿ホッパが邪魔となり、原稿を容易に取り出すことができないといった問題があった。さらに、原稿押さえカバーへの原稿ホッパの取付けは、止め具、部品等を必要とし、部品点数が増え、コストアップとなっていた。さらに、組付けには工具を必要とし、生産ライン等での組付け工数を増やし、生産性を低下させるといった問題も発生していた。
【０００４】
本発明の目的は、従来のこのような欠点を解消し、原稿ホッパに原稿をセットし易くするばかりでなく、読み取られた原稿を排出原稿トレイから取り出し易くし、原稿の取扱性を向上させることができる。さらに、回動する原稿ホッパの取付け性も向上させることができる画像読取装置を提供することにある。
【０００５】
【課題を解決するための手段】
上記目的を達成するために、本発明は、原稿を読み取る静止原稿読取面および移動原稿読取部と、静止原稿読取面の原稿を押さえる開閉自在な原稿押さえカバーと、原稿押さえカバーに隣接し、原稿を一枚ずつ移動原稿読取部に連続給紙する連続原稿給紙部とを備えた画像読取装置であって、連続原稿給紙部に原稿を供給する原稿ホッパを、ヒンジ機構を介して回動自在に原稿押さえカバーに設けた。また、ヒンジ機構は、原稿ホッパまたは原稿カバーのいずれか一方に一体成形された突起部と、原稿ホッパまたは原稿カバーの他方に設けられた孔とからなる。さらに、突起部の先端に面取り部を設けた。また、突起部の先端を押圧する弾性部材を上記他方に設けた。
【０００６】
【発明の実施の形態】
以下、本発明の画像読取装置の実施の形態を図面を参照しつつ説明する。図１は、本発明の実施の形態の画像読取装置を含む画像処理装置であって、原稿押さえカバー開時を示す斜視図である。図２は、図１の画像処理装置であって、原稿押さえカバー閉時を示す斜視図である。図３は、画像読取装置の画像読取部の内部を示す断面図である。図４は、画像読取装置の原稿押さえカバーへの原稿ホッパの取付けを示す斜視図である。図５は、原稿ホッパのヒンジ機構を示す拡大断面図である。
【０００７】
先ず、本発明の画像読取装置が適用される画処理録装置について、図１〜図３により説明する。装置全体の筐体構造としては、原稿読取部Ａと画像記録部１０とが上下に設けられている。原稿読取部Ａは、画像記録部１０の上部に形成されるものであり、本等の静止原稿を載せている透明状の静止原稿読取面Ｂが上面に設けられている。そして、静止原稿読取面Ｂの側方にて、原稿読取部Ａに、後述する開閉機構Ｅを介して開閉自在な原稿押さえカバーＣを取り付けており、原稿押さえカバーＣにて、静止原稿読取面Ｂ上に置された原稿を上方より押さえるものとなっている。
【０００８】
原稿読取部Ａ内においては、図３の如く、その底面にレンズ１３ａ及び光電変換器１３ｂを備えた光電変換ユニット１３が設けられている。そして、光源１１ａ及び第一反射鏡１１ｂを備えた第一走査体１１と、第二反射鏡１２ａ及び第三反射鏡１２ｂを備えた第二走査体１２とを、静止原稿読取面Ｂの下方で搬送させ、光源１１ａで静止原稿読取面Ｂを照射する。その上方に置かれる原稿Ｄの画像を、第一反射鏡１１ｂ、第二反射鏡１２ａ、及び第三反射鏡１２ｂを介して反射し、光電変換ユニット１３のレンズ１３ａで結像させ、光電変換器１３ｂにて電気信号化するものである。第一走査体１１と第二走査体１２とは、静止原稿読取面Ｂのガラス直下で搬送されることができる。
【０００９】
また、原稿読取部Ａの上部には、静止原稿読取面Ｂに隣接して、移動原稿読取部１４が設けられており、その上方には連続原稿給紙部１５が設けられている。そして、原稿押さえカバーＣの上面には排出原稿トレイ１８が、その上方には移動原稿読取部１４に供給する複数の原稿を堆積状に載せる原稿ホッパ１７がそれぞれ設けられ、一枚ずつ原稿を連続的に供給して読み取ることもできるようになっている。この場合には、移動原稿読取部１４の下方に第一走査体１１及び第二走査体１２を静止させておくものである。
【００１０】
このような画像読取部にて読み取られた画像情報や、或いは、受信されたファクシミリ情報を基に、画像記録部１０内に形成されている記録部にて、記録紙に記録がなされる。
【００１１】
原稿ホッパ１７は、連続原稿給紙部１５から遠ざかるにつれて上方へいくように傾斜状に設けられている。原稿ホッパ１７の詳細についは、後述する。原稿ホッパ１７には原稿ガイド１７ａが設けられ、原稿ホッパ１７に載せられる原稿Ｄ１の幅方向をガイドするようになっている。原稿ホッパ１７側の連続原稿給紙部１５側端に、連続原稿給紙部１５の原稿入口部２３が設けられ、原稿入口部２３の直下に原稿排出口２４が設けられている。
【００１２】
連続原稿給紙部１５の原稿入口部２３には、ピックアップローラ５、分離ローラ６、リタードローラ７が設けられ、原稿ホッパ１７上に載せられた原稿Ｄ１が１枚ずつ分離され、連続原稿給紙部１５内に略横Ｕ字状に形成された原稿搬送経路１５ａ内に搬送する。原稿搬送経路１５ａの湾曲部分には、給紙ローラ８が設けられ、給紙ローラ８を経た原稿搬送経路１５ａの最下部には、連続供給される原稿の読取部を形成する、ガラスなどの透明部材よりなる移動原稿読取部１４が設けられている。
【００１３】
原稿搬送経路１５ａの終端部の原稿排出口２４には、排出ローラ２１、２２が設けられている。排出ローラ２１、２２を経て排出された原稿は、原稿押さえカバーＣ上に形成した排出原稿トレイ１８上に排出され、連続供給された原稿が次々と堆積していく。また、原稿排出口２４は、上下方向において、排出原稿トレイ１８表面と原稿ホッパ１７との裏面との間に形成された排出原稿受け入口部２７の上端部に位置させている。そして、原稿排出口２４と排出原稿トレイ１８との高低差を大きくして、排出原稿トレイ１８上に載せられる排出原稿の堆積量が多く確保できるように構成している
【００１４】
次に、本発明の原稿押さえカバーＣについて述べる。上述のように、原稿押さえカバーＣは、原稿読取部Ａに後述する開閉機構Ｅの支点を介して取り付けられている。図１に示すように、原稿押さえカバーＣはプラテンカバー５１と押圧シート５４とから構成されている。プラテンカバー５１は、開閉機構Ｅに取付けられる。プラテンカバー５１は、軽量化して開閉の操作性を向上させる等のため、例えば樹脂が用いられる。押圧シート５４は、原稿Ｄの上面に接触して押圧する柔軟な部材である。押圧シート５４はプラテンカバー５１に取り付けられている。
【００１５】
そして、図２に示すように、原稿読取部Ａの静止原稿読取面Ｂ上に本等の原稿Ｄを載せて原稿押さえカバーＣを閉め、原稿Ｄも押さえて、原稿読取部Ａに原稿の画像を読み取らすことができる。
【００１６】
次に、原稿ホッパ１７について、主に図２および図４〜図６を参照しつつ詳述する。先ず、原稿ホッパ１７の構成について述べる。原稿ホッパ１７は、図４に示されるように、両側面の隅部に突起部３０、３１が一体成形で設けられている。また、図４に示されるように、原稿押さえカバーＣにおけるプラテンカバー５１の突出部５１ａ、５１ｂの各々に、対向して孔３２、３３が設けられている。原稿ホッパ１７は、撓ませることがことができるプラスチック成形品からなり、図４に示されるように、原稿ホッパ１７を幅方向に撓ませることにより突起部３０が孔３２に、突起部３１が孔３３に、それぞれ挿入される（原稿押さえカバーＣを撓ませて、突起部３０を孔３２に、突起部３１を孔３３に挿入させることも可能である。）。この、突起部３０と孔３２、突起部３１と孔３３とによりヒンジ機構Ｈが構成され、原稿ホッパ１７は回動自在となっている。
【００１７】
回動する原稿ホッパ１７は、通常は図示しないストッパ部により、連続原稿給紙部１５から遠ざかるにつれて上方へいくように傾斜状態で静止するようになっている。原稿ホッパ１７上には、図２、図４に示されるように、一対の原稿ガイド１７ａが原稿Ｄ１の幅方向に往復移動できるように設けられている。一対の原稿ガイド１７ａは、図２に示されるように、原稿ホッパ１７に堆積状に載せられる原稿Ｄ１を幅方向に挟み、ガイドする。
【００１８】
原稿ホッパ１７の突起部３０の先端側は、図５に示されるように、原稿ホッパ１７（または原稿押さえカバー）を撓ませ、突起部３０が孔３２に挿入する際、挿入され易くするために、面取り部３０ａが設けられている。また、図２、図４、図５に示されるように、原稿押さえカバーＣにおけるプラテンカバー５１の突出部５１ａ内には、弾性部材である板ばね３５が設けられている。図５に示されるように、突出部５１ａの内面に板ばね３５が止め具３４により取り付けられている。板ばね３５の先側の曲げ部が、突出部５１ａの孔３２に挿入された原稿ホッパ１７の突起部３０の先端部に接触し、突起部３０は図６中、左方向に押圧されている。
【００１９】
次に、原稿ホッパ１７の作用について述べる。上述のように原稿ホッパ１７は突起部３０と孔３２、突起部３１と孔３３で構成されるヒンジ機構Ｈにより回動自在であるため、原稿ホッパ１７を持ち上げて回動させるだけで、連続原稿給紙部１５から排出原稿トレイ１８に排出され、収容された原稿を容易に取り出すことができる。原稿ホッパ１７と排出原稿トレイ１８が２段に構成されるために、装置の設置面積を少なくなり、装置がコンパクトとなっている。また、原稿ホッパ１７が上段であるため、堆積状の原稿Ｄ１を原稿ホッパ１７に載せ易い。
【００２０】
上述のように原稿ホッパ１７のヒンジ機構Ｈは、原稿ホッパ１７に一体成形される突起部３０、３１と孔３２、３３で構成されるため、ヒンジ機構Ｈを構成する部品を設ける必要がなく、部品点数が削減でき、さらに、原稿ホッパ１７（または原稿押さえカバーＣ）を撓ませるだけで、原稿ホッパ１７を原稿押さえカバーＣに取付けることができるので、組み立てが容易に行われる。
【００２１】
また、原稿ホッパ１７の突起部３０の先端側には、上述のように面取り部３０ａが設けられているので、突起部３０が孔３２に挿入され易い。さらに、原稿ホッパ１７の突起部３０の先端部は、板ばね３５により押圧されているので、原稿押さえカバーＣに対する原稿ホッパ１７の取付けのがたつきを無くすことができる。さらに、原稿ホッパ１７の回動時に部品同志が擦れて発生する異音が防止される。また、板ばね３５の弾性力を調整することにより、原稿ホッパ１７の回動のかたさ具合等を調整できる。
【００２２】
次に、他の実施の形態について述べる。図６は、他の実施の形態の原稿ホッパのヒンジ機構を示す拡大断面図である。先ず、原稿ホッパ１７の構成について述べる。原稿ホッパ１７は、図６に示されるように、隅部に孔４０が設けられている。また、原稿押さえカバーＣにおけるプラテンカバー５１の突出部５１ａに、突起４２が一体成形で設けられている。原稿ホッパ１７は、図４に示されるように、原稿ホッパ１７の幅方向に撓ませることにより突起部４２が孔４０に挿入される（原稿押さえカバーＣを撓ませも同様である。）。この、突起部４２と孔４０によりヒンジ機構Ｈ１が構成され、原稿ホッパ１７は回動自在となっている。
【００２３】
突出部５１ａの突起部４２の先端側は、図６に示されるように、原稿ホッパ１７（または原稿押さえカバー）を撓ませ、突起部４２が孔４０に挿入する際、挿入され易くするために、面取り部４２ａが設けられている。また、原稿ほっぱ１７内には、弾性部材である板ばね４５が設けられている。板ばね４５は止め具４４により取り付けられている。板ばね４５の先側の曲げ部が、突出部５１ａの突起部４２の先端部に接触し、突起部４２は図６中、右方向に押圧されている。
【００２４】
次に、作用について述べる。上述のように原稿ホッパ１７はヒンジ機構Ｈ１により回動自在であるため、原稿ホッパ１７を持ち上げて回動させるだけで、前述の実施の形態と同様、排出原稿トレイ１８に排出され、収容された原稿を容易に取り出すことができる。
【００２５】
上述のようにヒンジ機構Ｈ１は、突出部５１ａに一体成形される突起部４２と、孔４０で構成されるため、ヒンジ機構Ｈ１を構成する部品を別に設ける必要がなく、部品点数が削減でき、さらに、原稿ホッパ１７（または原稿押さえカバーＣ）を撓ませるだけで、原稿ホッパ１７を原稿押さえカバーＣに取付けることができるので、組み立てが容易に行われる。
【００２６】
【発明の効果】
上述のように、請求項１の本発明により、原稿ホッパと排出原稿トレイが２段に構成されるために、装置の設置面積を少なくでき、装置をコンパクト化した場合、原稿ホッパを回動するだけで、連続原稿給紙部から排出原稿トレイに排出され、収容された原稿を容易に取り出すことができる。さらに、ヒンジ機構を構成する部品を別に設ける必要がないため、部品点数が削減され、コストダウンとなる。さらに、原稿ホッパまたは原稿押さえカバーを撓ませるだけで取り付けることができ、生産ライン等での組付け工数を削減でき、生産性を向上させることができる。さらに、原稿押さえカバーに対する原稿ホッパの取付けのがたつきを無くすことができる。また、原稿ホッパの回動時に部品同士が擦れて発生する異音を防止することができる。さらに、弾性部材により押圧力を調整することにより、原稿ホッパの回動のかたさ具合等を調整できると共に、原稿押さえカバー開閉時に原稿ホッパが不意に回動してしまうといった問題も解消される。
【００２８】
請求項２の本発明により、突起部の孔への嵌合を容易とし、原稿ホッパを原稿押さえカバーへ簡単に取り付けられるようにした。それに伴い、組付け作業が容易になり、生産性を向上させることができる。
【図面の簡単な説明】
【図１】本発明の実施の形態の画像読取装置を含む画像処理装置であって、原稿押さえカバー開時を示す斜視図である。
【図２】図１の画像処理装置であって、原稿押さえカバー閉時を示す斜視図である。
【図３】画像処理装置の画像読取部の内部を示す断面図である。
【図４】画像読取装置の原稿押さえカバーへの原稿ホッパの取付けを示す斜視図である。
【図５】原稿ホッパのヒンジ機構を示す拡大断面図である。
【図６】他の実施の形態の原稿ホッパのヒンジ機構を示す拡大断面図である。
【符号の説明】
Ａ      原稿読取部
Ｂ            静止原稿読取面
Ｃ            原稿押さえカバー
Ｄ      原稿
Ｄ１    原稿
Ｅ      開閉機構
Ｈ      ヒンジ機構
Ｈ１    ヒンジ機構
１５            連続原稿給紙部
１７            原稿ホッパ
３０ａ        面取り部
３５            板バネ（弾性部材）
【図１】
0003587021.tif 000002
【図２】
0003587021.tif 000003
【図３】
0003587021.tif 000004
【図４】
0003587021.tif 000005
【図５】
0003587021.tif 000006
【図６】
0003587021.tif 000007